(57)【要約】【課題】    組み立てと解体が容易にできるエアガンの提供。【解決手段】    主に上銃身、モータ、下銃身及びストックを含んで成り、該ストック内部にモータ収納槽を設け、そのうち、該上銃身後方に軸心を設け、該軸心の両側に上弧形突起及び下弧形突起をそれぞれ設置し、該モータ両側に固定フレームをそれぞれ設け、該固定フレームの前端に上クリップアーム及び下クリップアームを設置し、該上クリップアーム及び下クリップアーム間の距離は該上弧形突起及び下弧形突起の長さに対応し、さらに、該上クリップアームの内側に上部切欠部を設け、該上部切欠部と上弧形突起が相互に対応し、該上部切欠部の後端に上支持面を形成し、該上支持面が上弧形突起の後端と相互に対応すると共に、該上クリップアーム及び下クリップアームの間に弧形切欠部を設け、該弧形切欠部と下弧形突起が相互に対応し、該弧形切欠部の前端に下支持面を形成することを特徴とする。【選択図】    図１ 
0003110020.tif 000002
【実用新案登録請求の範囲】
【請求項１】
主に、上銃身及びモータを含み、そのうち、該上銃身の後方に軸心を設け、該軸心の両側に上弧形突起及び下弧形突起をそれぞれ設置し、該モータの両側に固定フレームをそれぞれ設け、該固定フレームの前端に上クリップアーム及び下クリップアームを設置し、該上クリップアーム及び下クリップアームの間の距離が上弧形突起及び下弧形突起の長さに対応しており、該上クリップアームの内側に上部切欠部を設け、該上部切欠部は上弧形突起と相互に対応し、該上部切欠部の後端に上支持面を設け、該上支持面は上弧形突起の後縁部と相互に対応し、該上クリップアーム及び下クリップアームの間に弧形切欠部を設け、該弧形切欠部は下弧形突起と相互に対応し、該弧形切欠部の前端に下支持面を設け、該下支持面は下弧形突起の前縁部と相互に対応することを特徴とするエアガン。
【考案の詳細な説明】
【技術分野】
【０００１】
本考案はエアガンに関し、詳細には、組み立てと解体が容易なエアガンに関する。
【背景技術】
【０００２】
従来のエアガンは、電力を利用してピストンを後退させ、ピストンのバネを圧縮する銃であり、そのエネルギーの源としてモータを利用しており、従来のエアガンはこのモータを設置する位置を確保するため、ほとんどが長銃として製造されている。
【０００３】
図４に示すように、従来のエアガンは主に上銃身a、下銃身及びストックを含み、該上銃身aの後方に固定フレームa１を設置し、該固定フレームa１内にモータdを設置すると共に、該ストック内部にモータ収納槽を形成する。
【０００４】
上述の構造に基づき、従来のエアガンの組み立て方法は、上銃身a、固定フレームa１及びモータdを上から下に向かって下銃身及びモータ収納槽内へと入れ、上銃身aと下銃身を合体させ一体とする方法である。
【０００５】
しかしながら、従来のエアガンのモータdと固定フレームa１は上銃身aの後方に固定されており、また該モータdと上銃身a間の挟角及び下銃身とストック内部のモータ収納槽間の挟角は共に固定されているため、モータdと上銃身aの組み立て及び解体の過程において、下銃身及びモータ収納槽内からモータdと上銃身aを取出しにくく、メンテナンスや修理を困難にしている。
【考案の開示】
【考案が解決しようとする課題】
【０００６】
本考案は、上述の従来のエアガンにおける構造上の欠点に鑑みて、考案者個人の該項事業における長年の経験に基づき研究を重ね、斬新なエアガンの構造改良設計を提供する。
【０００７】
本考案の主な目的は、組み立てと解体が容易にできるエアガンを提供することにある。
【課題を解決するための手段】
【０００８】
上述の目的を達するため、本考案のエアガンは、主に上銃身、モータ、下銃身及びストックを含んで成り、該ストック内部にモータ収納槽を設け、そのうち、該上銃身後方に軸心を設け、該軸心の両側に上弧形突起及び下弧形突起をそれぞれ設置し、該モータ両側に固定フレームをそれぞれ設け、該固定フレームの前端に上クリップアーム及び下クリップアームを設置し、該上クリップアーム及び下クリップアーム間の距離は該上弧形突起及び下弧形突起の長さに対応し、さらに、該上クリップアームの内側に上部切欠部を設け、該上部切欠部と上弧形突起が相互に対応し、該上部切欠部の後端に上支持面を形成し、該上支持面が上弧形突起の後端と相互に対応すると共に、該上クリップアーム及び下クリップアームの間に弧形切欠部を設け、該弧形切欠部と下弧形突起が相互に対応し、該弧形切欠部の前端に下支持面を形成することを特徴とする。
【０００９】
上述の構造に基づき、本考案のエアガンは、前記上クリップアーム及び下クリップアームが下弧形突起の両側から挿入され、該上クリップアーム及び下クリップアームが上弧形突起及び下弧形突起の両側を挟み込むように囲み、且つ、下弧形突起の外側の弧面が弧形切欠部の側縁部に密接し、さらに軸心を中心として弧を描くようにモータを上方向に移動させ、上弧形突起の後端と上支持面を相互に接触させると、下弧形突起の前端と下支持面が相互に接触し、このとき、上弧形突起の後端から下弧形突起の前端までの距離が上クリップアーム及び下クリップアーム前端内側の間の幅より大きいため、該上クリップアーム及び下クリップアームが上弧形突起及び下弧形突起から離脱せず、且つ、該上弧形突起及び下弧形突起に相対して上クリップアーム及び下クリップアームが一定角度移動させることが可能となる。上銃身及びモータを下銃身及びモータ収納槽内に入れるとき、先にモータ及び固定フレームを下方向に適切な角度移動させることができるため、該モータ及び固定フレームを簡単にモータ収納槽内に挿入できる。且つ、上銃身及びモータを下銃身及びストック内から取り外すときは、上銃身を下銃身の上方から外すだけでよく、上銃身を外す過程において、上弧形突起及び下弧形突起と上クリップアーム及び下クリップアームの相対的位置移動を利用し、該モータ及び固定フレームをモータ収納槽の傾斜角度に基づき移動させ、簡単に上銃身及びモータを下銃身及びストック内から取出すことができる。上述の構造により、組み立てと解体を容易にするという目的を達することが可能となる。
【考案を実施するための最良の形態】
【００１０】
本考案の構造、装置及びその特徴について、以下、具体的な実施例と図面に基づき、詳細に説明する。
【００１１】
図１、図２、図３に示すように、本考案のエアガンは、主に上銃身１及びモータ２を含み、そのうち、該上銃身１後方に軸心１０を設け、該軸心１０の両側に上弧形突起１１及び下弧形突起１２をそれぞれ設置し、該モータ２の両側に固定フレーム２０をそれぞれ設け、該固定フレーム２０の前端に上クリップアーム２１及び下クリップアーム２２を設置し、該上クリップアーム２１及び下クリップアーム２２の間の距離は上弧形突起１１及び下弧形突起１２の長さに対応しており、さらに、該上クリップアーム２１の内側に上部切欠部２３を設け、該上部切欠部２３は該上弧形突起１１と相互に対応し、該上部切欠部２３の後端に上支持面２３０を設け、該上支持面２３０は上弧形突起１１の後縁部と相互に対応し、該上クリップアーム２１及び下クリップアーム２２の間に弧形切欠部２４を設け、該弧形切欠部２４は下弧形突起１２と相互に対応し、該弧形切欠部２４の前端に下支持面２４０を設け、該下支持面２４０は下弧形突起１２の前縁部と相互に対応することを特徴とする。
【００１２】
上述の構造に基づき、本考案のエアガンは、前記上クリップアーム２１及び下クリップアーム２２が下弧形突起１２の両側から挿入され、該上クリップアーム２１及び下クリップアーム２２が前記上弧形突起１１及び下弧形突起１２の両側を挟み込むように囲み、且つ、該下弧形突起１２の外側の弧面を該弧形切欠部２４の側縁部に密接させ、さらに、軸心１０を中心としてモータ２が弧を描いて上方向に移動し、上弧形突起１１の後端と上支持面２３０を相互に接触させると、下弧形突起１２の前端が下支持面２４０と相互に接触する。このとき、上弧形突起１１後端から下弧形突起１２前端までの距離が上クリップアーム２１及び下クリップアーム２２前端内側の間の幅より大きいため、該上クリップアーム２１及び下クリップアーム２２は上弧形突起１１及び下弧形突起１２から離脱せず、且つ、該上クリップアーム２１及び下クリップアーム２２は上弧形突起１１及び下弧形突起１２の外側縁部で径方向に移動し、該上クリップアーム２１及び下クリップアーム２２が該上弧形突起１１及び下弧形突起１２と相対して一定角度移動することができる。
【００１３】
上述のように、本考案のエアガンは、その上銃身１及びモータ２を下銃身及びモータ収納槽内に組み込むとき、先にモータ２及び固定フレーム２０を下方向へ適切な角度移動し、該上銃身１とモータ２の間の挟角を下銃身及びモータ収納槽の位置に対応させることで、該モータ２及び固定フレーム２０を簡単にモータ収納槽内に挿入することができる。且つ、上銃身１及びモータ２を下銃身及びストック内から取り外すときは、上銃身１を下銃身の上方から外し、上銃身１を取り外す過程において、上弧形突起１１及び下弧形突起１２と上クリップアーム２１及び下クリップアーム２２の相対的位置移動を利用し、モータ２及び固定フレーム２０をモータ収納槽の傾斜角度に基づき移動させ、簡単に上銃身１及びモータ２を下銃身及びストック内から取出すことができ、その過程はいかなる阻害も受けることなく、組み立て及び解体を容易にするという目的を達することができる。
【００１４】
上述のように、本考案のエアガンは、確実に組み立てと解体を容易にするという効果を得ることができ、実用性と進歩性を兼ね備えたものであるため、実用新案法に基づき、ここに実用新案登録の請求を出願するものである。
【図面の簡単な説明】
【００１５】
【図１】本考案の立体分解図である。
【図２】本考案の組み立て後の状態を示す平面図である。
【図３】本考案の動作を示す平面図である。
【図４】従来のエアガンの平面図である。
【符号の説明】
【００１６】
１          上銃身
２          モータ
１０        軸心
１１        上弧形突起
１２        下弧形突起
２０        固定フレーム
２１        上クリップアーム
２２        下クリップアーム
２３        上部切欠部
２４        弧形切欠部
２３０      上支持面
２４０      下支持面
【図１】
0003110020.tif 000003
【図２】
0003110020.tif 000004
【図３】
0003110020.tif 000005
【図４】
0003110020.tif 000006